(57)【要約】【課題】送風効率を維持することが可能な粒子捕捉技術を提供すること。【解決手段】本発明による粒子捕捉器は、気流を発生させる気流発生手段と、所定の粒子を捕捉する捕捉手段とを備えた粒子捕捉器である。捕捉手段は、気流発生手段の少なくとも表面に設けられている。気流発生手段が周期的に運動した際に、少なくとも当該気流に含まれる粒子を捕捉手段に捕捉させるように構成されている。かかる構成によれば、フィルタ等を用いた空気清浄機に生じる問題を防止することができる。また、本発明による粒子捕捉器をプロペラに採用した回転翼機によれば、飛行中に空気中の粒子を捕捉することができる。【選択図】図１
2019131583.tif 000002
【特許請求の範囲】
【請求項１】
気流を発生させる気流発生手段と、
所定の粒子を捕捉する捕捉手段とを備えた粒子捕捉器であって、
前記捕捉手段は、前記気流発生手段の少なくとも表面に設けられており、
前記気流発生手段が周期的に運動した際に、少なくとも当該気流に含まれる粒子を前記捕捉手段に捕捉させるように構成されている、
粒子捕捉器。
【請求項２】
請求項１に記載の粒子捕捉器であって、
前記捕捉手段は、選択的に所定の粒子を捕捉するように構成されている
粒子捕捉器。
【請求項３】
請求項１又は請求項２に記載の粒子捕捉器であって、
前記気流発生手段は、プロペラであり、
前記捕捉手段は、前記プロペラの表面に設けられている
粒子捕捉器。
【請求項４】
請求項３に記載の粒子捕捉器であって、
前記捕捉手段は、前記プロペラの表面の捕捉構造である
粒子捕捉器。
【請求項５】
請求項４に記載の粒子捕捉器を備えた回転翼機。
【請求項６】
請求項５に記載の回転翼機であって、
前記プロペラによって捕捉した前記粒子に関する情報を解析する手段を更に備える
回転翼機。
【請求項７】
シート状に形成された所定の粒子を捕捉する捕捉手段であって、
少なくとも前記気流発生手段に張り付けるための接着手段を更に備えている、
捕捉手段。
【発明の詳細な説明】
【技術分野】
【０００１】
本発明は、粒子捕捉器及びこれを備えた回転翼機に関する。
【背景技術】
【０００２】
従来より、ファンとフィルタを利用した空気清浄機が種々知られている。これらの原理は、ファンを用いて空気を強制的にフィルタに送り込んでフィルタを通過させることにより空気中の粒子状物質やエアロゾル粒子等をフィルタに捕捉させて空気を清浄化するものである。通常多く用いられている空気清浄機は、ファンとフィルタを完全に分離し、ファンによって風をフィルタに当てるタイプのものである（例えば、特許文献１参照）。【０００３】
他の方法として、フィルタを波状に曲折させると共に該フィルタ自体を回転させることによって、フィルタに羽根車の翼とフィルタの機能の両方を持たせた空気清浄機及び加湿機が提案されている（例えば、特許文献２参照）
【先行技術文献】
【特許文献】
【０００４】
【特許文献１】特開２００９−２０２０５１号公報
【特許文献２】特開２００１−１２０９３３号公報
【発明の概要】
【発明が解決しようとする課題】
【０００５】
上述した空気清浄器は、いずれも、送風手段によって生じた気流をフィルタで濾しとることによって、空気中の粒子状物質やエアロゾル粒子を除去することとしている。そのため、少なからず送風手段に負荷が生じることに加え、フィルタに粒子が捕捉されるにつれて送風効率が悪化する。【０００６】
そこで、本発明は、送風効率を維持することが可能な粒子捕捉技術を提供することを目的とする。
【課題を解決するための手段】
【０００７】
本発明によれば、
気流を発生させる気流発生手段と、
所定の粒子を捕捉する捕捉手段とを備えた粒子捕捉器であって、
前記捕捉手段は、前記気流発生手段の少なくとも表面に設けられており、
前記気流発生手段が周期的に運動した際に、少なくとも当該気流に含まれる粒子を前記捕捉手段に捕捉させるように構成されている、
粒子捕捉器が得られる。
【発明の効果】
【０００８】
本発明によれば、送風効率を維持することが可能な粒子捕捉技術を提供することができる。
【図面の簡単な説明】
【０００９】
【図１】本発明の実施の形態による粒子捕捉器に用いられる捕捉手段の機能を概念的に表すイメージ図である。
【図２】図１の捕捉手段の他の例を示すイメージ図である。
【図３】図１の捕捉手段を備えたプロペラ（回転翼）を示す図である。
【図４】図４（ａ）は、図３のプロペラのＡ−Ａ’断面を示す図である。図４（ｂ）は図３のプロペラの変形例の断面を示す図である。
【図５】通常のプロペラに、本実施の形態によるシート状の捕捉手段を張り付けたプロペラを示す図である。
【図６】図３のプロペラを備えた回転翼機を利用した空気清浄システムのイメージ図である。
【図７】図１の捕捉手段に検出手段を取り付けた状態を示すイメージ図である。
【図８】図６の回転翼機の機能ブロックを示す図である。
【図９】図１の捕捉手段によって捕捉した粒子に関する情報を検出（解析）する検出手段を更に備える粒子捕捉器を示す図である。
【図１０】本実施例によるエアロゾル捕集実験に用いたプロペラと捕集手段とを示す写真である。
【図１１】図１０の捕集手段の電子顕微鏡写真である。
【発明を実施するための形態】
【００１０】
本発明の実施形態の内容を列記して説明する。本発明の実施の形態による粒子捕捉器及びこれを備えた回転翼機は、以下のような構成を備える。
［項目１］
気流を発生させる気流発生手段と、
所定の粒子を捕捉する捕捉手段とを備えた粒子捕捉器であって、
前記捕捉手段は、前記気流発生手段の少なくとも表面に設けられており、
前記気流発生手段が周期的に運動した際に、少なくとも当該気流に含まれる粒子を前記捕捉手段に捕捉させるように構成されている、
粒子捕捉器。
［項目２］
請求項１に記載の粒子捕捉器であって、
前記捕捉手段は、選択的に所定の粒子を捕捉するように構成されている
粒子捕捉器。
［項目３］
請求項１又は請求項２に記載の粒子捕捉器であって、
前記気流発生手段は、プロペラであり、
前記捕捉手段は、前記プロペラの表面に設けられている
粒子捕捉器。
［項目４］
請求項３に記載の粒子捕捉器であって、
前記捕捉手段は、前記プロペラの表面の捕捉構造である
粒子捕捉器。
［項目５］
請求項４に記載の粒子捕捉器を備えた回転翼機。
［項目６］
請求項５に記載の回転翼機であって、
前記プロペラによって捕捉した前記粒子に関する情報を解析する手段を更に備える
回転翼機
［項目７］
シート状に形成された所定の粒子を捕捉する捕捉手段であって、
少なくとも前記気流発生手段に張り付けるための接着手段を更に備えている、
捕捉手段。
【００１１】
＜実施の形態の詳細＞
以下、本発明の実施の形態による粒子捕捉器及びこれを備えた回転翼機について、図面を参照しながら説明する。
【００１２】
＜概要＞
本発明の実施の形態による、粒子捕捉器は、空気中に存在する特定の粒子を捕捉する構造を有している。当該構造の詳細については後述する。また、回転翼機は、粒子捕捉器をその回転翼に利用することによって、空気中に存在する特定の粒子を当該回転翼に捕捉させる。
【００１３】
なお、上述した回転翼機は、ドローン（Ｄｒｏｎｅ）、マルチコプター（Ｍｕｌｔｉ  Ｃｏｐｔｅｒ）、無人飛行体（Ｕｎｍａｎｎｅｄ  ａｅｒｉａｌ  ｖｅｈｉｃｌｅ：ＵＡＶ）、ＲＰＡＳ（ｒｅｍｏｔｅ  ｐｉｌｏｔｅｄ  ａｉｒｃｒａｆｔ  ｓｙｓｔｅｍｓ）、又はＵＡＳ（Ｕｎｍａｎｎｅｄ  Ａｉｒｃｒａｆｔ  Ｓｙｓｔｅｍｓ）等と称呼されることがある。
【００１４】
更に、本発明による粒子捕捉器はプロペラ形状に加工され上述した回転翼機に採用されているが、粒子捕捉器はプロペラ形状のものであれば、どのようなものでも採用することができる。更には、気流を生じさせるものであればどのような部材にも適用可能である。
【００１５】
＜粒子捕捉器＞
図１は、本実施の形態による粒子捕捉器の断面構造を模式的に表す図である。図示されるように、粒子捕捉器は、捕捉手段と気流発生手段とを備えている。
【００１６】
気流発生手段は、回転翼機に取り付けられるプロペラの基材である。機材は、主として樹脂等により形成されているが、これ以外の素材で形成されていてもよい。また、基材は単一の素材であってもよいし、複数の基材を組み合わせてなる合板状のものであってもよい。
【００１７】
図１の（ａ）及び（ｂ）を比較してわかるように、捕捉手段は、気流発生手段の表面に存在しており、所定の物理構造又は化学構造を有することにより、粒子を表面に捕捉させるものである。
【００１８】
なお、図中の矢印は気流発生手段によって発生する気流の向きである。即ち、プロペラが回転することによって生じる気流の流れを示している。本実施の形態においては、プロペラが回転した場合に、図の下方向に気流が生じる（換言すれば、当該プロペラを有する回転翼機には上方向の推力が生じる）。
【００１９】
気流発生手段と捕捉手段とは同一の素材であってもよいし、他の素材としてもよい。この場合、気流発生手段を基材としてその表面に捕捉手段がコーティングされるように構成される。
【００２０】
また、捕捉手段は、その表面の物理構造又は化学構造が特定の粒子を捕捉するのに適した構造（例えば、所定の凹凸が施されている等）を有していてもよいし、その表面が静電気的に特定の粒子を引き付けるのに適した構造を有していてもよい。
【００２１】
図２の（ａ）は、粒子捕捉器の他の例を示す図である。図示される粒子捕捉器は、複数の異なる粒子Ａ及び粒子Ｂのうちから粒子Ａのみを選択的に捕捉させる捕捉手段を有している。
【００２２】
図２の（ｂ）は、粒子Ａのみを選択的に捕捉させる表面構造を模式的に示す図である。図示されるように、捕捉手段は、粒子Ａを捕捉するのに適した形状を有している一方で、粒子Ｂの捕捉には適さない形状を有している。
【００２３】
かかる構造によれば、プロペラの回転によって気流が発生した際に、粒子Ａのみを選択的に捕捉手段に捕捉させることができる。
【００２４】
図３は、粒子捕捉器としてのプロペラ１０を示す図である。プロペラ１０は、回転軸である軸部１１と、回転により推力（揚力）を発生させるブレード部１２とを備えている。本実施の形態によるプロペラ１０（の少なくともブレード部１２）は、捕捉手段２０により形成されている。
【００２５】
図４は、図３のＡ−Ａ’断面図である。図示されるように、プロペラ１０の基材の上に捕捉手段２０が形成されている。
【００２６】
図５は、粒子捕捉器としてのプロペラ１０’を示す図である。図３のプロペラ１０と同様に、プロペラ１０’は、回転軸である軸部１１と、回転により推力（揚力）を発生させるブレード部１２とを備えている。本実施の形態によるプロペラ１０’には、シール状に形成された捕捉手段２０’が貼り付けられている。
【００２７】
シール状に形成された捕捉手段２０’は、シート状に形成された捕捉素材とブレード部１２に貼り付けるための手段として粘着部とを備えている。ブレード部１２に貼り付けるための手段は、他の手段を利用してもよい。
【００２８】
図６は、回転したプロペラ１０に粒子が捕捉する様子を示したイメージ図である。プロペラ１０が回転すると下方向Ｗに気流が生じプロペラ１０’には上向きの推力（揚力が働く）これにより回転翼機（図示せず）は上昇及び空中での静止（ホバリング）を行うことが可能となる。
【００２９】
図７は、図３又は図５のプロペラ１０又は１０’を回転翼機にとりつけて大気中に配置した様子を示すイメージ図である。回転翼機は上空でホバリングすることにより、大気中の粒子状物質やエアロゾル粒子等を捕捉する機能を発揮する。
【００３０】
図示されるように、上空に複数台の回転翼機を配置し、互いに通信を行うことにより、各機体の位置関係を制御する。なお、必要に応じて、地上に配置された管理制御システムによって又は併用して管理することとしてもよい。
【００３１】
上述した回転翼機は、主として空中を移動するものを指すが、例えば、陸上用、水中用などの用途を組み合わせた機能を有する回転翼機も含まれる。
【００３２】
上述した回転翼機は、例えば、図８に示される機能ブロックを有している。なお、図８の機能ブロックは最低限の参考構成である。
【００３３】
フライトコントローラは、プログラマブルプロセッサ（例えば、中央演算処理装置（ＣＰＵ））などの１つ以上のプロセッサを有することができる。
【００３４】
フライトコントローラは、図示しないメモリを有しており、当該メモリにアクセス可能である。メモリは、１つ以上のステップを行うためにフライトコントローラが実行可能であるロジック、コード、および／またはプログラム命令を記憶している。
【００３５】
メモリは、例えば、ＳＤカードやランダムアクセスメモリ（ＲＡＭ）などの分離可能な媒体または外部の記憶装置を含んでいてもよい。カメラやセンサ類から取得したデータは、メモリに直接に伝達されかつ記憶されてもよい。例えば、カメラ等で撮影した静止画・動画データが内蔵メモリ又は外部メモリに記録される。
【００３６】
フライトコントローラは、回転翼機の状態を制御するように構成された制御モジュールを含んでいる。例えば、制御モジュールは、６自由度（並進運動ｘ、ｙ及びｚ、並びに回転運動θｘ、θｙ及びθｚ）を有する回転翼機の空間的配置、速度、および／または加速度を調整するために回転翼機の推進機構（モータ等）を制御する。制御モジュールは、搭載部、センサ類の状態のうちの１つ以上を制御することができる。
【００３７】
フライトコントローラは、１つ以上の外部のデバイス（例えば、端末、表示装置、または他の遠隔の制御器）からのデータを送信および／または受け取るように構成された送受信部と通信可能である。送受信機は、有線通信または無線通信などの任意の適当な通信手段を使用することができる。
【００３８】
例えば、送受信部は、ローカルエリアネットワーク（ＬＡＮ）、ワイドエリアネットワーク（ＷＡＮ）、赤外線、無線、ＷｉＦｉ、ポイントツーポイント（Ｐ２Ｐ）ネットワーク、電気通信ネットワーク、クラウド通信などのうちの１つ以上を利用することができる。
【００３９】
送受信部は、センサ類で取得したデータ、フライトコントローラが生成した処理結果、所定の制御データ、端末または遠隔の制御器からのユーザコマンドなどのうちの１つ以上を送信および／または受け取ることができる。
【００４０】
本実施の形態によるセンサ類は、その用途に応じて、慣性センサ（加速度センサ、ジャイロセンサ）、ＧＰＳセンサ、近接センサ（例えば、ライダー）、ビジョン／イメージセンサ（例えば、カメラ）その他の物理センサを含み得る。更に、イオンセンサー、バイオアフィニティーセンサー、ガスセンサ、その他の電気化学センサー、オプティカルセンサー等の化学センサを含んでいいてもよい。
【００４１】
本発明の回転翼機は、調査、測量、観察等における産業用の回転翼機として利用が期待される機体できる。また、本発明の回転翼機は、マルチコプター・ドローン等の飛行機関連産業において利用することができ、さらに、本発明は、カメラ等を搭載した空撮用の回転翼機としても好適に使用することができる他、セキュリティ分野、農業、インフラ監視等の様々な産業にも利用することができる。
【００４２】
図９は、本発明による捕捉手段によって捕捉した粒子Ａに関する情報を検出（解析）する検出手段を更に備える粒子捕捉器を示す図である。検出手段は捕捉手段で捕捉（捕捉）した粒子Ａを検出する。
【００４３】
検出手段は、粒子Ａと反応する特定の素材、試薬、その他の検出手段であればよい。また、検出手段は、必ずしも捕捉手段上に設けられている必要はなく、別体のものであってもよい。
【００４４】
（実施例）
続いて、本発明による粒子吸着の効果を検証すべく、エアロゾルの捕集実験を行った。実験の手順の概要は以下のとおりである。
【００４５】
図１０に示されるように、疎水性デュラポアＦを両面テープでプロペラＰに張り付けた。本実施例に用いられた疎水性デュラポアは、ポリビニリデンフロライド製のメンブレンフィルターである。
【００４６】
プロペラＰをモータに接続して回転させ、回転中にエアロゾル標準粒子に曝露させた。エアロゾル標準粒子は、真球状のポリスチレン粒子の水分散体である。粒径は０．１μｍ±０．００３μｍである。
【００４７】
曝露後の顕微鏡による観察の結果、フィルターＦと共に少数の粒子が確認され、０．３ｍｇの重量変化が電子天秤により確認された。図１１Ａに示されるように、図中の白い小さな粒子が見て取れる。また、図１１Ｂに示されるように、０．１μｍ程度の粒子が吸着していることがわかる。
【００４８】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００４９】
１０、１０’        プロペラ
１１        軸部
１２        ブレード部
２０、２０’        捕捉手段
【図１】
2019131583.tif 000003
【図２】
2019131583.tif 000004
【図３】
2019131583.tif 000005
【図４】
2019131583.tif 000006
【図５】
2019131583.tif 000007
【図６】
2019131583.tif 000008
【図７】
2019131583.tif 000009
【図８】
2019131583.tif 000010
【図９】
2019131583.tif 000011
【図１０】
2019131583.tif 000012
【図１１】
2019131583.tif 000013
【国際調査報告】
2019131583.tif 000014
2019131583.tif 000015
2019131583.tif 000016
2019131583.tif 000017